(57)【要約】【課題】ヘアクリップを組み立てる作業者の熟練度に左右されることなく、ヘアクリップを構成するピン軸体のかしめ作業をばらつきなく確実に行うことを可能とするヘアクリップのかしめ工具を提供する。【解決手段】本発明のかしめ工具は、髪の毛を挟む一対のクリップ部５と、一対のクリップ部５を開閉自在に支持するピン軸体７と、ピン軸体７に設けられたコイルばね８の付勢力に抗してクリップ部５を開かせる二股状とされた把持部６とを備えたヘアクリップ１を組み立てる工具２であって、下方側に位置する固定側レバー１０と、上方側に位置する可動側レバー１１と、固定側レバー１０及び可動側レバー１１の先端に設けられ且つ所定の間隔以下には縮まらない構成とされたピン挟持部１２と、を有し、ピン挟持部１２により、ヘアクリップ１のピン軸部７の両端を押しつぶすことで、ピン軸体７によってクリップ部５をかしめ、ヘアクリップ１を組立状態とする。【選択図】図２
2020203367.tif 000002
【特許請求の範囲】
【請求項１】
髪の毛を挟む一対のクリップ部と、前記一対のクリップ部を開閉自在に支持するピン軸体と、前記ピン軸体に設けられたスプリング部の付勢力に抗して前記クリップ部を開かせる二股状とされた把持部と、を備えたヘアクリップを組み立てるかしめ工具であって、
下方側に位置する固定側レバーと、上方側に位置する可動側レバーと、前記固定側レバー及び可動側レバーの先端に設けられ且つ所定の間隔以下には縮まらない構成とされたピン挟持部と、を有し、
前記ピン挟持部により、前記ヘアクリップのピン軸部の両端を押しつぶすことで、前記ピン軸体によって一対のクリップ部をかしめ、前記ヘアクリップを組立状態とする
ことを特徴とするかしめ工具。
【請求項２】
前記ピン挟持部は、固定側レバーの先端に備えられた固定挟持部と、可動側レバーの先端に備えられ且つ固定挟持部に近接離反する可動挟持部と、からなり、
前記固定挟持部及び可動挟持部には、ヘアクリップのピン軸体が上下方向を向くように当該ヘアクリップを配備可能とする固定部が形成されている
ことを特徴とする請求項１に記載のかしめ工具。
【請求項３】
前記固定部は、
当該可動挟持部の下面に平坦な面として形成された第一のヘアクリップ固定部と、
前記可動挟持部の側方であって固定挟持部の上面に設けられ、ヘアクリップの把持部が嵌り込むことによりヘアクリップを水平に固定する第二のヘアクリップ固定部と、
前記第二のヘアクリップ固定部の上端部に下方に対向する平面として形成された第三のヘアクリップ固定部と、
前記第二のヘアクリップ固定部を中心にヘアクリップが水平方向に沿って回転することを規制する第四のヘアクリップ固定部と、を有している
ことを特徴とする請求項２に記載のかしめ工具。
【請求項４】
前記第二のヘアクリップ固定部は、
前記ヘアクリップの二股状とされた把持部が嵌まり込み可能な直径を有し、且つ前記可動挟持部の側方であって固定挟持部の上面に立設するように設けられた把持軸に対して、当該把持軸の外周面に形成されており、
前記第三のヘアクリップ固定部は、
前記把持軸の上端部に設けられ、且つ横向きとされた当て部に対して、当該当て部の下面であって前記第一のヘアクリップ固定部に対向する当て面として形成されており、
前記第四のヘアクリップ固定部は、
前記固定挟持部の前後方向の中途側に設けられた左右方向に伸びる段差面として形成されている
ことを特徴とする請求項３に記載のかしめ工具。
【請求項５】
前記固定側レバーと、可動側レバーと、固定側レバー及び可動側レバーの先端に設けられ且つ所定の間隔以下には縮まらない構成とされたピン挟持部とは、バイスプライヤ構造を有しており、
前記可動側レバーと固定側レバーとの間にはリンク部材が配備され、
前記リンク部材により、挟持状態にあるピン挟持部の挟持間隔が一定距離以下に縮まないような構成とされている
ことを特徴とする請求項１〜４のいずれかに記載のかしめ工具。
【発明の詳細な説明】
【技術分野】
【０００１】
本発明は、美容院などで髪を挟むのに用いられるヘアクリップを製造する際に使用する工具に関し、特に、ピン軸体による「かしめ」を正確且つ効率的に行うことができる工具に関する。
【背景技術】
【０００２】
美容院や自分自身で髪をセットする場合、例えば、ヘアクリップを用いて、髪を束ねたり、まとめたりすることがある。
このようなヘアクリップは、一般に、図１に示すように、一対の長片とされた部材、すなわち髪を挟む際に下側となる下片部材と、髪を挟む際に上側となる上片部材との組み合わせからなる。下片部材と上片部材のいずれにおいても、その先端から中途部にかけて髪を挟むクリップ部（挟持部）を有すると共に、各片の基端は把持部とされている。下片部材と上片部材とは、把持部とクリップ部との境の部位において、ピン軸体により互いの片が近接離反可能となるように揺動自在に枢支されており、ピン軸体の周りには、コイルばねが取り付けられていて、このコイルばねにより一対のクリップ部は閉じる方向に付勢されるものとなっている。これらクリップ部と把持部は一つの長尺な部材として一体に形成されている。
【０００３】
このような構成を有するヘアクリップは、使用者の指を用いて、一対の把持部のそれぞれが近づくように力を加えると、コイルばねの付勢力に抗するように、下片部材のクリップ部と上片部材のクリップ部とが離反し、離反した下片部材と上片部材との間に髪を差し入れることが可能となる。その後は、使用者が指の力を抜くと、コイルばねの付勢力で挟持部の下片部材と上片部材とが近接し合いクリップ部で髪を挟むことが可能となる。
【先行技術文献】
【特許文献】
【０００４】
【特許文献１】特開２０１７−１８５２０１号公報
【発明の概要】
【発明が解決しようとする課題】
【０００５】
以上のようなヘアクリップを製造するに際し、下片部材、上片部材、ピン軸体、コイルばね等の部品は、工作機械（例えばプレス機など）を用いて、大量生産を行うことが可能である。しかしながら、部品の組み立て、すなわち下片部材、上片部材の基端側に、コイルばねが巻きつけられたピン軸体を配備するように組み上げて、ピン軸体の両端を潰して下片部材及び上片部材をかしめてヘアクリップの完成品とするためには、どうしても人手の作業に頼らざるを得ないのが実情である。
【０００６】
特に、下片部材と上片部材とを貫通するピン軸体は、使用時に外れてしまわないように、ハンマー等で打撃することによってピン軸体の両側を半円球状に潰し、潰したピン軸体の両端により下片部材及び上片部材の抜け止めを行う「かしめ」作業が行われる。このかしめ作業の出来不出来は、作業者の力量によるところが大きく、熟練していない作業者がかしめ作業を行なった場合、ピン軸体の潰れ方が不十分となりやすい。そのため、出来上がった製品（ヘアクリップ）は、使用中に、ピン軸体から下片部材乃至は上片部材が外れてしまい、ひどい場合はヘアクリップがバラバラになって壊れてしまうといったトラブルが発生する場合があった。
【０００７】
本発明は、上記の事情を鑑みてなされたものであり、組み立て作業を行う作業者の熟練度に左右されることなく、どのような熟練度の作業者であってもヘアクリップを構成するピン軸体のかしめ作業をばらつきなく確実に行うことを可能とするヘアクリップのかしめ工具を提供することを目的とする。
【課題を解決するための手段】
【０００８】
前記目的を達成するため、本発明においては以下の技術的手段を講じた。
本発明のヘアクリップのかしめ工具は、髪の毛を挟む一対のクリップ部と、前記一対のクリップ部を開閉自在に支持するピン軸体と、前記ピン軸体に設けられたスプリング部の付勢力に抗して前記クリップ部を開かせる二股状とされた把持部と、を備えたヘアクリップを組み立てるかしめ工具であって、下方側に位置する固定側レバーと、上方側に位置する可動側レバーと、前記固定側レバー及び可動側レバーの先端に設けられ且つ所定の間隔以下には縮まらない構成とされたピン挟持部と、を有し、前記ピン挟持部により、前記ヘアクリップのピン軸部の両端を押しつぶすことで、前記ピン軸体によって一対のクリップ部をかしめ、前記ヘアクリップを組立状態とすることを特徴とするかしめ工具。
【０００９】
好ましくは、前記ピン挟持部は、固定側レバーの先端に備えられた固定挟持部と、可動側レバーの先端に備えられ且つ固定挟持部に近接離反する可動挟持部と、からなり、前記固定挟持部及び可動挟持部には、ヘアクリップのピン軸体が上下方向を向くように当該ヘアクリップを配備可能とする固定部が形成されているとよい。
好ましくは、前記固定部は、当該可動挟持部の下面に平坦な面として形成された第一のヘアクリップ固定部と、前記可動挟持部の側方であって固定挟持部の上面に設けられ、ヘアクリップの把持部が嵌り込むことによりヘアクリップを水平に固定する第二のヘアクリップ固定部と、前記第二のヘアクリップ固定部の上端部に下方に対向する平面として形成された第三のヘアクリップ固定部と、前記第二のヘアクリップ固定部を中心にヘアクリップが水平方向に沿って回転することを規制する第四のヘアクリップ固定部と、を有しているとよい。
【００１０】
好ましくは、前記第二のヘアクリップ固定部は、前記ヘアクリップの二股状とされた把持部が嵌まり込み可能な直径を有し、且つ前記可動挟持部の側方であって固定挟持部の上面に立設するように設けられた把持軸に対して、当該把持軸の外周面に形成されており、前記第三のヘアクリップ固定部は、前記把持軸の上端部に設けられ、且つ横向きとされた当て部に対して、当該当て部の下面であって前記第一のヘアクリップ固定部に対向する当て面として形成されており、前記第四のヘアクリップ固定部は、前記固定挟持部の前後方向の中途側に設けられた左右方向に伸びる段差面として形成されているとよい。
【００１１】
好ましくは、前記固定側レバーと、可動側レバーと、固定側レバー及び可動側レバーの先端に設けられ且つ所定の間隔以下には縮まらない構成とされたピン挟持部とは、バイスプライヤ構造を有しており、前記可動側レバーと固定側レバーとの間にはリンク部材が配備され、前記リンク部材により、挟持状態にあるピン挟持部の挟持間隔が一定距離以下に縮まないような構成とされているとよい。
【発明の効果】
【００１２】
本発明にかかるヘアクリップのかしめ工具によれば、ヘアクリップを組み立てる作業者の熟練度に左右されることなく、どのような熟練度の作業者であってもヘアクリップを構成するピン軸体のかしめ作業をばらつきなく確実に行うことが可能となる。
【図面の簡単な説明】
【００１３】
【図１】本発明のかしめ工具により組み立てられるヘアクリップである。
【図２】本発明のかしめ工具の全体斜視図である。
【図３】本発明のかしめ工具の先端部（ピン挟持部）の右側面図である。
【図４】ヘアクリップが装着された本発明のかしめ工具の正面図である。
【図５】ヘアクリップが装着された本発明のかしめ工具の斜視図である。
【図６】かしめ工具にヘアクリップをかしめ前に装着する手順を示した図である。
【図７】本発明のかしめ工具を用いて、ヘアクリップをかしめる手順（かしめ中の動作）を示した図である。
【図８】本発明のかしめ工具を用いてかしめ作業が行われたヘアクリップを示した図である（かしめ後の手順）。
【発明を実施するための形態】
【００１４】
以下、本発明の実施形態を、図を基に説明する。以下、実施形態では、図２に示した上下方向、前後方向、左右方向をもとに説明を進めることとする。
本発明は、ヘアクリップ１を組み立てる際に使用する工具２（かしめ工具２）に関するものである。以降では、まず工具２の説明に先立ち、ヘアクリップ１の構成について説明する。
【００１５】
本発明のかしめ工具２により組み立てられるヘアクリップ１は、美容院や自宅などで、特に女性が髪を束ねたりまとめたりするセットする際に用いるものである。
図１に示す如く、組み立て対象のヘアクリップ１は、一対の長片状とされた部材を有するものとなっている。この一対の長片状の部材のうち、髪を挟む際に下側（頭皮側）に配備されるものを下片部材３と呼び、髪を挟む際に上側（頭髪側）となるものを上片部材４と呼ぶ。ヘアクリップ１は、この下片部材３と上片部材４とで頭髪を上下に挟み込むことで、髪止めが可能となっている。
【００１６】
下片部材３と上片部材４とは、いずれも、その先端部から中途部にかけての部位が髪を挟むクリップ部５とされており、各片の基端部には使用者が指で摘むことでクリップ部５を近接離反させる（ヘアクリップ１を開閉させる）ための把持部６が備えられている。言い換えれば、上述した長片状の部材、つまり下片部材３にも上片部材４にも、先端側にはクリップ部５が、また基端側には把持部６がそれぞれ形成されている。
【００１７】
上述した下片部材３及び上片部材４は、いずれも把持部６とクリップ部５との境の部位において、ピン軸体７を用いて枢支されている。つまり、下片部材３でも上片部材４でも、一対のクリップ部５はピン軸体７を用いて揺動自在に支持されており、クリップ部５の反対側に位置する把持部６同士も互いに揺動自在となっている。より具体的には、クリップ部５同士を近接させる（以降、クリップ部５同士を近接させることを、クリップ部５を閉じるという場合がある）と把持部６同士が離反し、把持部６同士を近接させるとクリップ部５同士が離反する（以降、クリップ部５同士を離反させることを、クリップ部５を開くという場合がある）ように、下片部材３と上片部材４とは揺動可能とされている。
【００１８】
また、ピン軸体７の周りには、コイルばね８が取り付けられていて、これにより一対のクリップ部５を閉じる方向に付勢する、言い換えれば把持部６を開く方向に付勢するものとされている。
このような構成を有するヘアクリップ１は、使用者の指を用いて、把持部６をそれぞれが近づくように力を加えると、コイルばね８の付勢力に抗して下片部材３と上片部材４とが離反し、その間に髪を差し入れることが可能となる。その後は、使用者の指の力を抜くと、コイルばね８の付勢力で下片部材３と上片部材４とが近接し合い、両部材間で髪を挟むことが可能となる。
【００１９】
上記したヘアクリップ１の製造に関しては、下片部材３、上片部材４、ピン軸体７、コイルばね８等の部品は、工作機械（例えばプレス機など）を用いて、大量生産される。各部品を機械で生産した後、完成品のヘアクリップ１に仕上げるためには、下片部材３、上片部材４、ピン軸体７、コイルばね８を手作業により組み立てる。すなわち、下片部材３及び上片部材４の基端部に、コイルばね８が巻きつけられたピン軸体７を配備するように組み上げる。このようにすると、下片部材３、上片部材４、及びコイルばね８の３部材がピン軸体７により連通状態となり、最後にピン軸体７の両側を半円球状に潰すと、３部材を一体にかしめることが可能となる。
【００２０】
なお、このかしめ作業は、工具などを打ち付ける力加減などで仕上がり状態が大きく変化し、作業者の熟練度によりヘアクリップ１の仕上がり品質に大きな影響が出やすい。そこで、本発明のかしめ工具２は、作業者の熟練度に左右されることなく、良好な仕上がり状態で確実にかしめが行われること、言い換えればヘアクリップ１の仕上がり品質を良好に保持することを可能とするものとなっている。
【００２１】
図２に、かしめ工具２の斜視全体図を示す。本工具２は、配管用のパイプなどの滑りやすい部材を強くグリップする（締め付ける）ための「バイスプライヤ（グリッププライヤ）」に類似する構成を有している。これに加えて、本工具２は、さらにヘアクリップ１を組み立てるために、工具先端に特徴的な構成を有するものとなっている。
図２〜図４には、本発明のかしめ工具２が示されている。かしめ工具２を説明するにあたっては、図２に示した上下方向、前後方向、左右方向をもとに説明を進める。
【００２２】
かしめ工具２は「バイスプライヤ」に類似する構成を有するものであり、下方に位置する長片状の固定側レバー１０に対して、上方に位置する長片状の可動側レバー１１が近接可能となるように枢支軸１５ａで枢支されており、可動側レバー１１を固定側レバー１０に近づけることで、この可動側レバー１１の先端と固定側レバー１０の先端とで構成されるピン挟持部１２で挟持対象物（ヘアクリップ１）を挟み込むことができるように構成されている。
【００２３】
固定側レバー１０の先端には、固定挟持部１３（詳しくは後述）が設けられており、この固定挟持部１３が上述したピン挟持部１２を構成している。また、可動側レバー１１の先端には、固定挟持部１３に対応し上下方向に近接離反する可動挟持部１４が設けられている。この可動挟持部１４も、上述した固定挟持部１３と共にピン挟持部１２を構成している。本実施形態では、可動挟持部１４と、可動側レバー１１とは別体の部材として構成されている。
【００２４】
可動挟持部１４の基端側（後方側）は、上下に二股に分かれている。この下方側に分岐した基端側の端部は固定側レバー１０の先端側に枢支軸１５ａにより左右方向を向く軸回りに揺動自在に取り付けられている。また、上方側に分岐した基端側の端部は、可動側レバー１１の先端部に対して枢支軸１５ｂにより左右方向を向く軸回りに回動自在に取り付けられている。
【００２５】
可動側レバー１１の先端に近い部位と固定側レバー１０の中途部とは、短片形状の板材からなるリンク部材１６で連結されている。リンク部材１６の一方端（下方端）と固定側レバー１０とは、後述する間隔調整ツマミ２２に連動するネジ体の先端が当接する形で両者連結状態となっており、リンク部材１６の他方端と可動側レバー１１とは枢支軸１５ｃにより回動自在となっている。リンク部材１６の長手方向中途部は上方に凸形状となった凸設部１７を有している。
【００２６】
例えば、可動側レバー１１を固定側レバー１０に近づけ、可動挟持部１４を固定挟持部１３に近接させて、ピン挟持部１２で把持対象物を挟む場合を考える。この場合、可動側レバー１１が固定側レバー１０に近づくため、リンク部材１６が可動側レバー１１に近づき、リンク部材１６の凸設部１７が可動側レバー１１の内側（正確には、後に述べるリリースレバー１８）に当接する。さらに可動側レバー１１を固定側レバー１０に近づけると、「カチッ」と音がし、ピン挟持部１２が開放状態へと戻らない（挟持したままの）状態となる。このようにピン挟持部１２が開放状態へと戻らなくなる理由は、可動側レバー１１の先端部と可動挟持部１４とを枢支する枢支軸１５ｂと、リンク部材１６の他方端と可動側レバー１１とを枢支する枢支軸１５ｃと、リンク部材１６の一方端と、が略一直線に並び、力学的に中立状態（正確には中立状態を若干超えた状況）となるためである。
【００２７】
なお、この状態（中立状態）を解除すべく、可動側レバー１１の内側に、可動側レバー１１の略半分程度の長さを有し、先端が可動側レバー１１の中途部に上下揺動自在に枢支されたリリースレバー１８が設けられている。
このリリースレバー１８の基端を可動側レバー１１の内側に近づけると、引き起こされたリリースレバー１８の先端がリンク部材１６の凸設部１７を下方に押し込み、枢支軸１５ｂと枢支軸１５ｃとリンク部材１６の他方端とが一直線上に並ばないようになり、リンク部材１６の中立状態が解除されるため、ピン挟持部１２が挟持固定状態から解放されることになる。
【００２８】
なお、ピン挟持部１２は、通常から開いた状態である（可動挟持部１４が固定挟持部１３から離れた状態となっている）と使用に便利なため、可動挟持部１４の基端（二股となった部位の股中央部）と固定側レバー１０の中央部との間にはバネ部材１９が配備されており、可動挟持部１４を後方へ引き戻す方向に付勢力が働いている。そのため、上述した中立状態から少しでもリリース方向に可動側レバー１１を揺動させると、バネ部材１９の付勢力により固定側レバー１０に対して可動側レバー１１が十分に離反した状態まで大きく自発的に揺動し、ピン挟持部１２が完全に開いた状態となる。
【００２９】
また、使用者の手の負担を軽減するために、可動側レバー１１にはウレタン等で構成されたクッション部材２１が取り付けてある。なお、本実施形態では、このクッション部材２１は可動側レバー１１にのみ設けられているが、クッション部材２１を固定側レバー１０に設けるようにしても良いし、クッション部材２１を可動側レバー１１と固定側レバー１０との双方に設けるようにしても良い。
【００３０】
さて、本発明に関しては、かしめ工具２の先端に特徴的な構成を有するものとなっている。
図２〜図４に示す如く、可動挟持部１４は、その先端下面が平面とされていて、固定挟持部１３の右側を上下に移動するものとなっている。
固定挟持部１３上の面であって可動挟持部１４の下面に対面する部分は、平坦な面とされており、これが「第一のヘアクリップ固定部３１」となっている。加えて、固定挟持部１３の上面に立設されていて、可動挟持部１４の左面（側方）に設置された柱状の部材の外周面は、ヘアクリップ１の把持部６が嵌まり込むことによりヘアクリップ１を水平に（水平方向を向く姿勢に）固定する「第二のヘアクリップ固定部３２」となっている。
【００３１】
さらに、第二のヘアクリップ固定部３２の上端部に形成された面であって、下方に対向する平面（第一のヘアクリップ固定部３１に対向する平面）として形成されたものが「第三のヘアクリップ固定部３３」である。
さらにまた、固定挟持部１３の上面に略直交するように上下方向に伸びる面であって、上述した柱状の部材の後方に設けられた平面、言い換えれば固定挟持部１３の前後方向の中途側に設けられた左右方向に伸びる段差面が、柱状の部材（第二のヘアクリップ固定部３２）を中心にヘアクリップ１が水平に回転することを規制する「第四のヘアクリップ固定部３７」とされている。
以上で述べた第一のヘアクリップ固定部３１〜第四のヘアクリップ固定部３７によりヘアクリップ１の把持部６が固定されることで、ヘアクリップ１は、かしめ工具２のピン挟持部１２において常に一定の位置で配設されることとなる。
【００３２】
より詳しく説明すれば、第二のヘアクリップ固定部３２は特有の構成を有しており、まず、ヘアクリップ１の把持部６（二股部）が入り込む直径を有する把持軸３４が、可動挟持部１４の左側であって、固定挟持部１３の上面に立設するように設けられている。このため、当然、可動挟持部１４を固定挟持部１３に近づけた際に、把持軸３４は可動挟持部１４に接触しないものとなっている。
【００３３】
また、把持軸３４の上端部には、横に向けたヘアクリップ１の把持部６の側面が接する面を持った当て部３５が取り付けられている。本実施形態では、この当て部３５は、把持軸３４の直径よりも大きな寸法を有する直方体形状（長方形形状）を有する金属片となっている。そして、この当て部３５の下面が第一のヘアクリップ固定部３１に対向する当て面３６となっていて、この当て面３６が第三のヘアクリップ固定部３３とされている。このような第三のヘアクリップ固定部３３を設ければ、ヘアクリップ１の把持部６が上方に抜け出ることが規制される。
【００３４】
さらに、固定挟持部１３の前後方向の中途側に設けられた左右方向に伸びる段差面が、第四のヘアクリップ固定部３７とされている。つまり、上述した第一のヘアクリップ固定部３１〜第三のヘアクリップ固定部３３で固定した状態でも、ヘアクリップ１は、柱状の部材（第二のヘアクリップ固定部３２）を中心に水平に回動可能となっている。そのため、第四のヘアクリップ固定部３７を設ければ、ヘアクリップ１が左右方向に伸びる段差面に接触して水平方向に沿って回動することが規制され、かしめるのに最適な位置（ピン軸体７の両端に可動挟持部１４を打ちつけて潰すのに最適な位置）にヘアクリップ１が固定される。
【００３５】
次に、かしめ工具２を用いてヘアクリップ１を組み立てる際の態様について説明する。
まず、ヘアクリップ１の下片部材３に上片部材４を組み合わせて、両者を貫通するようにピン軸体７を通過させる。このとき、下片部材３と上片部材４との間にコイルばね８を予め配備しておき、下片部材３、上片部材４、及びコイルばね８の３部材をピン軸体７で貫通させる。ここまでは、手作業による組み立て（組み付け工程）となる。
【００３６】
従来であれば、その後、ヘアクリップを横向きにした上で、ハンマー等を用いてピン軸体の両側を叩いてピン軸体の両端を潰し、下片部材及び上片部材をかしめて、ヘアクリップを完成させる。
しかしながら、本発明のかしめ工具２を用いる場合は、このかしめ工程が従来とは異なる手順で行われる。
【００３７】
詳しくは、上記した組み付け工程を行い、ヘアクリップ１の部品である下片部材３、上片部材４、及びコイルばね８をピン軸体７で貫通させて、一体に組み付ける。なお、この時点では、両端が潰されていないためピン軸体７は簡単に抜け落ちる状態となっている。その後、図５、図６に示すように、ヘアクリップ１の把持部６を、第一のヘアクリップ固定部３１〜第四のヘアクリップ固定部３７に密接させて固定するように、かしめ工具２のピン挟持部１２の部分に装着する。
【００３８】
具体的には、ヘアクリップ１を横向きの状態とし、把持部６の二股に分かれた部分が固定挟持部１３の奥にある把持軸３４の外周面（第二のヘアクリップ固定部３２）に接触するまで、固定挟持部１３の左奥まで差し入れる。この時、ヘアクリップ１の把持部６の一方側面（右面）を固定挟持部１３の上面（第一のヘアクリップ固定部３１）に密着させ、さらにヘアクリップ１の把持部６の他方側面（左面）を当て部３５の当て面３６（第三のヘアクリップ固定部３３に密着させるようにしつつヘアクリップ１を押し込む。その上で、ヘアクリップ１の把持部６を、第四のヘアクリップ固定部３７に密着させるようにする。すなわち、図６に示すように、第一のヘアクリップ固定部３１〜第四のヘアクリップ固定部３７によりピン軸体７の両端をかしめるのに最適な位置にヘアクリップ１を固定する。
【００３９】
その状態を維持したまま、可動側レバー１１を固定側レバー１０に近づけ、ピン挟持部１２でヘアクリップ１の把持部６（正確には、ピン軸体７の両端）を上下から挟む。「カチッ」と音がするまで、可動側レバー１１を固定側レバー１０に近づけると、リンク部材１６が力学的に中立の状態となる。このような中立の状態になった後は、可動挟持部１４と固定挟持部１３間の距離が一定となったまま、ピン挟持部１２が開放状態へと戻らない（挟持したままの）状態となる。
【００４０】
この作業により、可動挟持部１４の下面と固定挟持部１３の上面とで、ピン軸体７の両端を潰すように力が作用する状態となり、ヘアクリップ１の下片部材３及び上片部材４がピン軸体７によりかしめられ、潰されたピン軸体７の両端により部品が分離しないように固定されたヘアクリップ１が完成することになる。
ピン軸体７の両端を適切な量だけ潰してピン軸体７による最適なかしめ状況とするためには、可動挟持部１４と固定挟持部１３間の距離を所定のものにする必要がある。そのために、固定側レバー１０の基端には、間隔調整ツマミ２２が設けられており、この間隔調整ツマミ２２を回すことで、リンク部材１６の下方端が前後に押されて、固定挟持部１３間に対する可動挟持部１４の上下位置が可変となる。それ故、間隔調整ツマミ２２を適切に調整することで、可動挟持部１４と固定挟持部１３間の上下距離を適切なものにすることが可能となる。
【００４１】
ピン軸体７のかしめが終わり、ヘアクリップ１が完成した後は、リリースレバー１８を可動側レバー１１の内側に近づける（上方側へ移動させる）ことにより、リリースレバー１８がリンク部材１６の凸設部１７を下方へ押すことになり、リンク部材１６によるピン挟持部１２の挟持固定状態が解除され、ヘアクリップ１を取り出すことが可能となる。
以上述べたかしめ工具２を利用することにより、ヘアクリップ１を組み立てる作業者の熟練度に左右されることなく、ヘアクリップ１を構成するピン軸体７のかしめ作業をばらつきなく確実に行うことが可能となる。
【００４２】
今回開示された各実施形態は、すべての点で例示であって制限的なものではないと考えられるべきである。特に、今回開示された各実施形態において、明示的に開示されていない事項、例えば、使用条件、各種パラメータ、構成物の寸法、重量、体積などは、当業者が通常実施する範囲を逸脱するものではなく、通常の当業者であれば、容易に想定することが可能な値を採用している。
【符号の説明】
【００４３】
１    ヘアクリップ
２    かしめ工具
３    下片部材
４    上片部材
５    クリップ部
６    把持部
７    ピン軸体
８    コイルばね
１０  固定側レバー
１１  可動側レバー
１２  ピン挟持部
１３  固定挟持部
１４  可動挟持部
１５ａ  枢支軸
１５ｂ  枢支軸
１５ｃ  枢支軸
１６  リンク部材
１７  凸設部
１８  リリースレバー
１９  バネ部材
２１  クッション部材
２２  間隔調整ツマミ
３１  第一のヘアクリップ固定部
３２  第二のヘアクリップ固定部
３３  第三のヘアクリップ固定部
３４  把持軸
３５  当て部
３６  当て面
３７  第四のヘアクリップ固定部
【図１】
2020203367.tif 000003
【図２】
2020203367.tif 000004
【図３】
2020203367.tif 000005
【図４】
2020203367.tif 000006
【図５】
2020203367.tif 000007
【図６】
2020203367.tif 000008
【図７】
2020203367.tif 000009
【図８】
2020203367.tif 000010